(57)【特許請求の範囲】
【請求項１】
複数の衛星の各々より送信される複数種類の偏波信号を受信するローノイズブロックダウンコンバータであって、
それぞれが衛星放送受信機に接続される複数の出力ポートと、
受信した複数の偏波信号を複数の中間周波数信号にそれぞれ変換する変換部と、
各出力ポート毎に、選択信号に従って前記複数の中間周波数信号のうちのいずれかの中間周波数信号を選択および増幅してその出力ポートに出力する増幅スイッチと、
各出力ポートに対応して設けられ、対応の出力ポートを介して対応の衛星放送受信機から与えられた複数ビットのデジタルシリアルデータを含む外部信号に基づき、前記選択信号を生成して前記増幅スイッチに出力する制御部とを含む、ローノイズブロックダウンコンバータ。
【請求項２】
前記変換部は、
前記複数の衛星の各々に対応して設けられ、対応の衛星より送信される前記複数種類の偏波信号をそれぞれ受け、各々が、受けた偏波信号を低雑音増幅する複数の低雑音増幅器と、
それぞれ前記複数の低雑音増幅器に対応して設けられ、各々が、対応の低雑音増幅器によって低雑音増幅された偏波信号よりイメージ信号を除去する複数のフィルタと、
ローカルオシレータ信号を発生する局部発振器と、
それぞれ前記複数の衛星に対応して設けられ、各々が、前記局部発振器に接続され、前記ローカルオシレータ信号を増幅する複数のバッファ増幅器と、
それぞれ前記複数のフィルタに対応して設けられ、各々が、対応のフィルタおよびバッファ増幅器に接続され、対応のフィルタによってイメージ信号が除去された偏波信号に対応のバッファ増幅器によって増幅されたローカルオシレータ信号を混合し、中間周波数信号を出力する複数の混合部とを含む、請求項１に記載のローノイズブロックダウンコンバータ。
【請求項３】
前記フィルタは、トラップである、請求項２に記載のローノイズブロックダウンコンバータ。
【請求項４】
前記フィルタは、バンドパスフィルタである、請求項２に記載のローノイズブロックダウンコンバータ。
【請求項５】
前記フィルタは、ハイパスフィルタである、請求項２に記載のローノイズブロックダウンコンバータ。
【請求項６】
前記増幅スイッチは、
前記変換部に接続され、前記複数の中間周波数信号を増幅する増幅部と、
前記増幅部に接続され、各出力ポート毎に、前記選択信号に従って、前記増幅部によって増幅された複数の中間周波数信号のうちのいずれかの中間周波数信号を選択してその出力ポートに出力するスイッチとを含む、請求項１〜５のいずれかに記載のローノイズブロックダウンコンバータ。
【請求項７】
前記増幅スイッチは、
前記変換部に接続され、各出力ポート毎に、前記選択信号に従って前記複数の中間周波数信号のうちのいずれかの中間周波数信号を選択して出力するスイッチと、
前記スイッチに接続され、前記スイッチの各出力信号を増幅して対応の出力ポートに出力する増幅部とを含む、請求項１〜５のいずれかに記載のローノイズブロックダウンコンバータ。
【請求項８】
前記増幅部は、それぞれ前記スイッチの複数の出力信号を受け、各々が、受けた信号を増幅して対応の出力ポートに出力する複数の増幅器を含み、
それぞれ前記複数の増幅器に対応して設けられ、各々が、対応の出力ポートを介して対応の衛星放送受信機から電力を受けて対応の増幅器に供給する複数の定電圧レギュレータをさらに含む、請求項７に記載のローノイズブロックダウンコンバータ。
【請求項９】
前記スイッチは、
それぞれ前記複数の衛星に対応して設けられ、各々が、各出力ポート毎に、前記選択信号に従って、対応の衛星に対応する複数の中間周波数信号のうちのいずれかの中間周波数信号を選択する複数の第１のスイッチ回路と、
それぞれ前記複数の出力ポートに対応して設けられ、各々が、前記選択信号に従って前記複数の衛星のうちのいずれかの衛星を選択し、選択した衛星に対応する第１のスイッチ回路によって対応の出力ポートに対して選択された中間周波数信号を選択する複数の第２のスイッチ回路とを含む、請求項６〜８のいずれかに記載のローノイズブロックダウンコンバータ。
【請求項１０】
前記スイッチは、複数の複数入力複数出力のスイッチからなる、請求項６〜９のいずれかに記載のローノイズブロックダウンコンバータ。
【請求項１１】
前記複数ビットのデジタルシリアルデータは、前記複数の衛星のうちのいずれかの衛星を選択する情報を有し、
前記外部信号は、さらに、前記複数種類の偏波信号のうちのいずれかの種類の偏波信号を選択する情報を有する電圧値を持つ直流信号を含む、請求項１〜１０のいずれかに記載のローノイズブロックダウンコンバータ。
【請求項１２】
前記複数の出力ポートに接続され、制御信号に従い、いずれかの出力ポートを選択して電源ノードに接続させるパワースイッチと、
前記パワースイッチおよび前記電源ノードを介して入力される前記直流信号を定電圧に変換して前記ローノイズブロックダウンコンバータに供給する定電圧電源回路と、
前記外部信号に基づき、前記制御信号を生成して前記パワースイッチに出力する制御信号出力部とをさらに含む、請求項１１に記載のローノイズブロックダウンコンバータ。
【請求項１３】
前記複数の出力ポートは、前記ローノイズブロックダウンコンバータに電力供給を行なう予め定められた優先順序を有し、
前記制御信号出力部は、前記優先順序に従って、前記衛星放送受信機が接続された１または２以上の出力ポートのうちのいずれかの出力ポートが前記電源ノードに接続されるように前記制御信号を生成する、請求項１２に記載のローノイズブロックダウンコンバータ。
【請求項１４】
前記制御信号出力部は、前記出力ポートの数をｎとした場合に、｛ｎ（ｎ−１）／２｝個のコンパレータを含む、請求項１３に記載のローノイズブロックダウンコンバータ。
【請求項１５】
前記デジタルシリアルデータの各ビットは、２種類の電圧値を有する、請求項１〜１４のいずれかに記載のローノイズブロックダウンコンバータ。
【請求項１６】
複数の衛星の各々から送信される複数種類の偏波信号を受信し、受信した複数の偏波信号をそれぞれ複数の中間周波数信号に変換し、前記複数の中間周波数信号のうちの選択された中間周波数信号を出力ポートに出力するローノイズブロックダウンコンバータの前記出力ポートに接続される衛星放送受信機であって、
前記出力ポートを介して入力された中間周波数信号より映像信号および音声信号を取出し出力する中間周波数信号変換部と、
前記複数の中間周波数信号のうちのいずれかの中間周波数信号を選択するための選択信号を入力する入力部と、
前記入力部に接続され、前記選択信号に基づいて、前記複数の中間周波数信号のうちのいずれかの中間周波数信号を前記ローノイズダウンコンバータに選択させるための複数ビットのデジタルシリアルデータを含む外部信号を生成して前記出力ポートを介して前記ローノイズブロックダウンコンバータに供給するデジタルシリアルデータ供給部とを含む、衛星放送受信機。
【請求項１７】
前記中間周波数信号変換部は、
前記中間周波数信号より映像信号および音声信号を取出し出力する映像・音声信号抽出部と、
前記中間周波数信号より衛星の受信状態をあらわす受信信号情報を出力する受信信号情報出力部とを含み、
前記衛星放送受信機は、前記入力部および前記受信信号情報出力部に接続され、前記選択信号および前記受信信号情報を含むステータス信号を出力するステータス信号出力部をさらに含む、請求項１６に記載の衛星放送受信機。
【請求項１８】
請求項１〜１５のいずれか１項に記載のローノイズブロックダウンコンバータと、
前記ローノイズブロックダウンコンバータに接続されて使用される衛星放送受信機とを含む、衛星放送受信システム。
【請求項１９】
前記衛星放送受信機は、請求項１６または１７に記載の衛星放送受信機を含む、請求項１８に記載の衛星放送受信システム。
【発明の詳細な説明】
【０００１】
【発明の属する技術分野】
本発明は、衛星放送受信システムに関し、特に、複数の衛星から受信した複数の衛星放送信号を複数の衛星放送受信機でそれぞれ別個に受信可能な衛星放送受信システムに関する。
【０００２】
【従来の技術】
図８を参照して、現在、日本上空の東経１２８°および１２４°には、ＪＣＳＡＴ３およびＪＣＳＡＴ４という通信衛星（ＣＳ）が打ち上げられている。それぞれの衛星より送信される衛星放送信号は、水平偏波および垂直偏波の２種類の信号よりなる。２つの衛星より送信される衛星放送信号を受信可能な衛星放送受信用アンテナは、２つの衛星より送信される衛星放送信号を反射する反射板６と、反射板６で反射された衛星放送信号を低雑音増幅すると同時に、低い周波数帯に周波数変換するＬＮＢ（Low Noise Block Down Converter）５８とを含む。ＬＮＢ５８には、テレビジョン受像機６０などの衛星放送信号の受信機が接続されている。
【０００３】
図９を参照して、従来のＬＮＢ５８は、ＪＣＳＡＴ３より送信される水平偏波信号および垂直偏波信号、ならびにＪＣＳＡＴ４より送信される水平偏波信号および垂直偏波信号を受け、後述する電源回路６８の出力に従い、いずれかの信号を低雑音増幅するＬＮＡ（Low Noise Amplifier）６２と、ＬＮＡ６２に接続され、ＬＮＡ６２の出力を入力として受けるＢＰＦ（Band Pass Filter）６４と、１１．２ＧＨｚのローカルオシレータ信号を発生する局部発振器２６と、ＢＰＦ６４および局部発振器２６に接続され、ＢＰＦ６４より出力される信号にローカルオシレータ信号を混合し、ＩＦ（Intermediate Frequency）信号を出力するミキサー３０Ａと、ミキサー３０Ａの出力に接続され、ＩＦ信号を増幅するＩＦ増幅器６６と、ＩＦ増幅器６６の出力に接続された低周波ノイズカットのためのキャパシタ３５Ａとを含む。キャパシタ３５Ａには、ＩＦ信号の出力端子が接続されており、ＩＦ信号出力端子の先には、上述の受信機が接続されている。
【０００４】
ＬＮＢ５８はさらに、ＩＦ信号出力端子に接続され、ＩＦ信号出力端子より直流ＤＣおよび直流ＤＣに重畳された数十ＫＨｚの交流の低周波パルス信号ＡＣを受け、直流ＤＣの電圧値および低周波パルス信号ＡＣの有無に従い、ＬＮＡ６２を構成する半導体増幅素子に所望の電力を供給する電源回路６８を含む。電源回路６８は、ＬＮＡ６２以外のＬＮＢ５８を構成する各部にも電力を供給する。
【０００５】
ＬＮＡ６２は、ＪＣＳＡＴ３より送信される水平偏波信号および垂直偏波信号をそれぞれ入力として受ける半導体増幅素子６３Ａおよび６３Ｂと、ＪＣＳＡＴ４より送信される水平偏波信号および垂直偏波信号をそれぞれ入力として受ける半導体増幅素子６３Ｃおよび６３Ｄと、半導体増幅素子６３Ａ〜６３Ｄの出力に接続された半導体増幅素子６３Ｅとを含む。
【０００６】
ＩＦ信号出力端子より供給される直流ＤＣの電圧値には１８Ｖおよび１３Ｖの２種類があり、直流ＤＣの電圧値が１８Ｖのときに水平偏波信号が選択され、直流ＤＣの電圧値が１３Ｖのときに垂直偏波信号が選択される。また、直流ＤＣに低周波パルス信号ＡＣが重畳されている場合にはＪＣＳＡＴ３が選択され、直流ＤＣに低周波パルス信号ＡＣが重畳されていない場合にはＪＣＳＡＴ４が選択される。
【０００７】
たとえば、ＩＦ信号出力端子に接続された受信機より、低周波パルス信号ＡＣが重畳された１３Ｖの直流ＤＣが、電源回路６８に供給された場合には、受信機はＪＣＳＡＴ３より送信される垂直偏波信号の選択を行なっている。このため、電源回路６８は、ＬＮＡ６２を構成する半導体増幅素子６３Ｂおよび６３Ｅに電力を供給し、半導体増幅素子６３Ａ、６３Ｃおよび６３Ｄへの電力の供給は行なわない。これにより、ＪＣＳＡＴ３より送信される垂直偏波信号が半導体増幅素子６３Ｂおよび６３Ｅで低雑音増幅される。低雑音増幅された信号は、ＢＰＦ６４に入力され、イメージ信号が除去される。ミキサー３０Ａは、ＢＰＦ６４より出力された信号に、局部発振器２６で発生したローカルオシレータ信号を混合し、ＩＦ信号を出力する。ＩＦ増幅器６６はＩＦ信号を増幅する。増幅されたＩＦ信号は、キャパシタ３５Ａで低周波ノイズカットが行なわれた後、ＩＦ信号出力端子より出力される。
【０００８】
以上のようにして、２つの衛星のいずれかが選択され、さらに選択された衛星より送信される２種類の偏波信号のうちいずれかが選択される。選択された偏波信号は、低雑音増幅および周波数変換された後、ＩＦ信号出力端子より出力される。
【０００９】
【発明が解決しようとする課題】
しかし、上述のＬＮＢ５８には、ＩＦ信号出力端子が１つしかなく、ＬＮＢ５８より出力される信号は、１つの衛星より送信される１つの偏波信号に限られる。このため、１つのＬＮＢ５８には、１台の受信機しか接続することができず、複数台のテレビジョン受像機またはビデオレコーダなどを接続することができない。
【００１０】
また、低周波パルス信号ＡＣの有無で衛星の選択を行なっている。このため、１つのＬＮＢ５８は、２つの衛星からの放送衛星信号しか受信することができず、３つ以上の衛星からの放送衛星信号を受信することは困難である。
【００１１】
さらに、衛星の選択は低周波パルス信号ＡＣの有無により行われているが、デジタルシリアルデータにより衛星の選択を行なうことができれば、受信機側にパーソナルコンピュータなどのデジタルデータを処理可能な機器を設けることにより、どの衛星のどの種類の偏波信号を選択したなどの情報の加工が可能となり好適である。
【００１２】
本発明は上述の課題を解決するためになされたもので、本発明の目的は、複数台の受信機を接続することができる衛星放送受信システムを提供することである。
【００１３】
本発明の他の目的は、３つ以上の衛星からの放送衛星信号を受信することが可能な衛星放送受信システムを提供することである。
【００１４】
本発明のさらに他の目的は、衛星および偏波信号の選択に関する情報を加工することができる衛星放送受信システムを提供することである。
【００１５】
【課題を解決するための手段】
本発明に係るローノイズブロックダウンコンバータは、複数の衛星の各々より送信される複数種類の偏波信号を受信するローノイズブロックダウンコンバータであって、それぞれが衛星放送受信機に接続される複数の出力ポートと、受信した複数の偏波信号を複数の中間周波数信号にそれぞれ変換する変換部と、各出力ポート毎に、選択信号に従って複数の中間周波数信号のうちのいずれかの中間周波数信号を選択および増幅してその出力ポートに出力する増幅スイッチと、各出力ポートに対応して設けられ、対応の出力ポートを介して対応の衛星放送受信機から与えられた複数ビットのデジタルシリアルデータを含む外部信号に基づき、選択信号を生成して増幅スイッチに出力する制御部とを含む。
【００１６】
このローノイズブロックダウンコンバータでは、複数の衛星の各々から送信された複数種類の偏波信号の各々は、中間周波数信号に変換された後、増幅スイッチに入力される。制御部は、対応の出力ポートを介して対応の衛星放送受信機から複数ビットのデジタルシリアルデータを含む外部信号を受け、増幅スイッチに選択信号を与える。増幅スイッチは、各出力ポート毎に、選択信号に応じた中間周波数信号の選択および増幅を行なう。このため、１つのローノイズブロックダウンコンバータから複数の出力ポートを介して複数の中間周波数信号が出力される。複数の中間周波数信号は、複数の出力ポートを介して外部よりそれぞれ独立に選択可能である。したがって、１つのローノイズブロックダウンコンバータに複数の衛星放送受信機を接続することができ、しかも、複数の衛星放送受信機は独立に中間周波数信号の選択が可能である。また、軌道位置の異なる衛星毎に別個のローノイズブロックダウンコンバータを設置する必要もない。また、複数ビットのデジタルシリアルデータを含む外部信号に基づいて選択信号を生成するので、３つ以上の衛星から偏波信号を受信することができる。
【００１７】
好ましくは、変換部は、複数の衛星の各々に対応して設けられ、対応の衛星より送信される複数種類の偏波信号をそれぞれ受け、各々が、受けた偏波信号を低雑音増幅する複数の低雑音増幅器と、それぞれ複数の低雑音増幅器に対応して設けられ、各々が、対応の低雑音増幅器によって低雑音増幅された偏波信号よりイメージ信号を除去する複数のフィルタと、ローカルオシレータ信号を発生する局部発振器と、それぞれ複数の衛星に対応して設けられ、各々が、局部発振器に接続され、ローカルオシレータ信号を増幅する複数のバッファ増幅器と、それぞれ複数のフィルタに対応して設けられ、各々が、対応のフィルタおよびバッファ増幅器に接続され、対応のフィルタによってイメージ信号が除去された偏波信号に対応のバッファ増幅器によって増幅されたローカルオシレータ信号を混合し、中間周波数信号を出力する複数の混合部とを含む。
【００１８】
衛星ごとに、局部発振器とミキサーとの間にバッファ増幅器を接続している。このため、ある衛星のＲＦ（Radio Frequency）信号が他の衛星のＲＦ信号に漏洩することを抑制することができ、異なる衛星間でのＲＦ信号のアイソレーションを良好なものにすることができる。
【００１９】
さらに好ましくは、フィルタは、トラップである。
さらに好ましくは、フィルタは、バンドパスフィルタである。
【００２０】
さらに好ましくは、フィルタは、ハイパスフィルタである。
さらに好ましくは、増幅スイッチは、変換部に接続され、複数の中間周波数信号を増幅する増幅部と、増幅部に接続され、各出力ポート毎に、選択信号に従って、増幅部によって増幅された複数の中間周波数信号のうちのいずれかの中間周波数信号を選択してその出力ポートに出力するスイッチとを含む。
【００２１】
さらに好ましくは、増幅スイッチは、変換部に接続され、各出力ポート毎に、選択信号に従って複数の中間周波数信号のうちのいずれかの中間周波数信号を選択して出力するスイッチと、スイッチに接続され、スイッチの各出力信号を増幅して対応の出力ポートに出力する増幅部とを含む。
【００２２】
スイッチで中間周波数信号が選択された後に、選択された信号が増幅される。このため、スイッチの前段で中間周波数信号を増幅する場合に比べ、増幅部を構成する部品の点数を削減することができる。
【００２３】
さらに好ましくは、増幅部は、それぞれスイッチの複数の出力信号を受け、各々が、受けた信号を増幅して対応の出力ポートに出力する複数の増幅器を含み、それぞれ複数の増幅器に対応して設けられ、各々が、対応の出力ポートを介して対応の衛星放送受信機から電力を受けて対応の増幅器に供給する複数の定電圧レギュレータをさらに含む。
【００２４】
増幅器ごとに定電圧レギュレータが設けられている。出力ポートより電力が供給されない場合には、その出力ポートの先にある増幅器には、電力が供給されない。このため、ローノイズブロックダウンコンバータの消費電力を削減することができる。
【００２５】
さらに好ましくは、スイッチは、それぞれ複数の衛星に対応して設けられ、各々が、各出力ポート毎に、選択信号に従って、対応の衛星に対応する複数の中間周波数信号のうちのいずれかの中間周波数信号を選択する複数の第１のスイッチ回路と、それぞれ複数の出力ポートに対応して設けられ、各々が、選択信号に従って複数の衛星のうちのいずれかの衛星を選択し、選択した衛星に対応する第１のスイッチ回路によって対応の出力ポートに対して選択された中間周波数信号を選択する複数の第２のスイッチ回路とを含む。
【００２６】
さらに好ましくは、スイッチは、複数の複数入力複数出力のスイッチからなる。
【００２７】
さらに好ましくは、複数ビットのデジタルシリアルデータは、複数の衛星のうちのいずれかの衛星を選択する情報を有し、外部信号は、さらに、複数種類の偏波信号のうちのいずれかの種類の偏波信号を選択する情報を有する電圧値を持つ直流信号を含む。
【００２８】
この場合、偏波信号の選択情報を有する電圧値を持つ直流信号に基づいて偏波信号を選択することが可能である。このため、従来の衛星放送受信機との互換性を保つことができる。
【００２９】
さらに好ましくは、複数の出力ポートに接続され、制御信号に従い、いずれかの出力ポートを選択して電源ノードに接続させるパワースイッチと、パワースイッチおよび電源ノードを介して入力される直流信号を定電圧に変換してローノイズブロックダウンコンバータに供給する定電圧電源回路と、外部信号に基づき、制御信号を生成してパワースイッチに出力する制御信号出力部とをさらに含む。
【００３０】
この場合、制御信号出力部は、デジタルシリアルデータおよび直流信号の電圧値に基づいて制御信号を出力する。パワースイッチは、制御信号に従って、複数の出力ポートのいずれかを選択する。選択された出力ポートを介して衛星放送受信機よりデジタルシリアルデータおよび直流信号が定電圧電源回路に供給され、それ以外の出力ポートからは供給されない。このため、選択された衛星放送受信機の電圧に変化が生じた場合であっても、その電圧の変化が他の衛星放送受信機から送信されるデジタルシリアルデータなどに影響を及ぼすことがない。よって、他の衛星放送受信機が接続された出力ポートで電圧降下を生じることがなく、電圧降下による架空のデジタルシリアルデータが生じることもない。よって、ローノイズブロックダウンコンバータが誤動作することなく、安定に動作させることができる。
【００３１】
さらに好ましくは、複数の出力ポートは、ローノイズブロックダウンコンバータに電力供給を行なう予め定められた優先順序を有し、制御信号出力部は、優先順序に従って、衛星放送受信機が接続された１または２以上の出力ポートのうちのいずれかの出力ポートが電源ノードに接続されるように制御信号を生成する。
【００３２】
さらに好ましくは、制御信号出力部は、出力ポートの数をｎとした場合に、｛ｎ（ｎ−１）／２｝個のコンパレータを含む。
【００３３】
さらに好ましくは、デジタルシリアルデータの各ビットは、２種類の電圧値を有する。
【００３４】
また、本発明に係る衛星放送受信機は、複数の衛星の各々から送信される複数種類の偏波信号を受信し、受信した複数の偏波信号をそれぞれ複数の中間周波数信号に変換し、複数の中間周波数信号のうちの選択された中間周波数信号を出力ポートに出力するローノイズブロックダウンコンバータの出力ポートに接続される衛星放送受信機であって、出力ポートを介して入力された中間周波数信号より映像信号および音声信号を取出し出力する中間周波数信号変換部と、複数の中間周波数信号のうちのいずれかの中間周波数信号を選択するための選択信号を入力する入力部と、入力部に接続され、選択信号に基づいて、複数の中間周波数信号のうちのいずれかの中間周波数信号をローノイズダウンコンバータに選択させるための複数ビットのデジタルシリアルデータを含む外部信号を生成して出力ポートを介してローノイズブロックダウンコンバータに供給するデジタルシリアルデータ供給部とを含む。
【００３５】
この衛星放送受信機では、複数ビットのデジタルシリアルデータを含む外部信号によって衛星や偏波信号の選択が行なわれる。衛星の選択に用いられるデジタルシリアルデータのビット数を２ビット以上にすることにより、３つ以上の衛星からの放送衛星信号をも受信することが可能となる。
【００３６】
好ましくは、中間周波数信号変換部は、中間周波数信号より映像信号および音声信号を取出し出力する映像・音声信号抽出部と、中間周波数信号より衛星の受信状態をあらわす受信信号情報を出力する受信信号情報出力部とを含み、衛星放送受信機は、入力部および受信信号情報出力部に接続され、選択信号および受信信号情報を含むステータス信号を出力するステータス信号出力部をさらに含む。
【００３７】
この場合、ステータス信号出力部は、選択信号および受信信号情報を含むステータス信号を出力する。このため、パーソナルコンピュータを衛星放送受信機に接続することにより、または、衛星放送受信機をパーソナルコンピュータに内蔵することにより、衛星の選択や、受信状態などをコンピュータプログラムに従って管理することができる。よって、視聴者がどの番組をどれだけの時間見たかという実績情報などを取得することができる。また、視聴者が番組を見ていないときに、衛星からコンピュータプログラムのダウンロードをすることができる。このため、パーソナルコンピュータのシステムのメンテナンスやサービスのグレードアップなどを行なうことができる。
【００３８】
また、本発明に係る衛星放送受信システムは、上記発明に係るローノイズブロックダウンコンバータと、ローノイズブロックダウンコンバータに接続されて使用される衛星放送受信機とを含む。
【００３９】
この衛星放送受信システムでは、複数の衛星の各々から送信された複数種類の偏波信号の各々は、中間周波数信号に変換された後、増幅スイッチに入力される。制御部は、対応の出力ポートを介して対応の衛星放送受信機から複数ビットのデジタルシリアルデータを含む外部信号を受け、増幅スイッチに選択信号を与える。増幅スイッチは、各出力ポート毎に、選択信号に応じた中間周波数信号の選択および増幅を行なう。このため、１つのローノイズブロックダウンコンバータから複数の出力ポートを介して複数の中間周波数信号が出力される。複数の中間周波数信号は、複数の出力ポートを介して外部よりそれぞれ独立に選択可能である。したがって、１つのローノイズブロックダウンコンバータに複数の衛星放送受信機を接続することができ、しかも、複数の衛星放送受信機は独立に中間周波数信号の選択が可能である。また、軌道位置の異なる衛星毎に別個のローノイズブロックダウンコンバータを設置する必要もない。
【００４０】
好ましくは、この衛星放送受信システムの衛星放送受信機は、上記発明に係る衛星放送受信機を含む。
【００４１】
この場合、複数ビットのデジタルシリアルデータを含む外部信号によって衛星や偏波信号の選択が行なわれる。衛星の選択に用いられるデジタルシリアルデータのビット数を２ビット以上にすることにより、３つ以上の衛星からの放送衛星信号をも受信することが可能となる。
【００４２】
【発明の実施の形態】
［実施の形態１］
現在、米国上空の西経１０１°、１１０°および１１９°には、デジタル放送衛星（ＤＢＳ）が打ち上げられている。米国のＤＢＳ放送のサービスプロバイダの１つであるエコスター（EchoStar；米国エコスターコミュニケーションズコーポレーションの登録商標）は、このうち西経１１０°および１１９°の衛星に関する放送権利を取得して、衛星放送を行なっている。
【００４３】
図１および図２を参照して、実施の形態１に係る２つの衛星より送信される衛星放送信号を受信可能な衛星放送受信用アンテナは、２つの衛星より送信される衛星放送信号を反射する反射板６と、反射板６で反射された衛星放送信号を低雑音増幅すると同時に、低い周波数帯に周波数変換するＬＮＢ８とを含む。ＬＮＢ８には、テレビジョン受像機１０および１２などの衛星放送信号の受信機が２台接続されている。
【００４４】
図３を参照して、ＬＮＢ８は、西経１１９°に位置する衛星（以下「１１９°衛星」という）より送信される左旋偏波信号および右旋偏波信号受け、それぞれの偏波信号を低雑音増幅するＬＮＡ２２Ａと、西経１１０°に位置する衛星（以下「１１０°衛星」という）より送信される左旋偏波信号および右旋偏波信号受け、それぞれの偏波信号を低雑音増幅するＬＮＡ２２Ｂと、ＬＮＡ２２Ａに接続され、低雑音増幅された左旋偏波信号および右旋偏波信号よりそれぞれイメージ信号を除去するＢＰＦ２８Ａおよび２８Ｂと、ＬＮＡ２２Ｂに接続され、低雑音増幅された左旋偏波信号および右旋偏波信号よりそれぞれイメージ信号を除去するＢＰＦ２８Ｃおよび２８Ｄと、１１．２５ＧＨｚの正弦波信号（ローカルオシレータ信号）を発生する局部発振器２６と、局部発振器２６に接続されたバッファ増幅器４４Ａおよび４４Ｂとを含む。
【００４５】
ＬＮＢ８はさらに、ＢＰＦ２８Ａおよびバッファ増幅器４４Ａに接続され、ＢＰＦ２８Ａの出力にバッファ増幅器４４Ａの出力を混合し、ＩＦ信号を出力するミキサー３０Ａと、ＢＰＦ２８Ｂおよびバッファ増幅器４４Ａに接続され、ＢＰＦ２８Ｂの出力にバッファ増幅器４４Ａの出力を混合し、ＩＦ信号を出力するミキサー３０Ｂと、ＢＰＦ２８Ｃおよびバッファ増幅器４４Ｂに接続され、ＢＰＦ２８Ｃの出力にバッファ増幅器４４Ｂの出力を混合し、ＩＦ信号を出力するミキサー３０Ｃと、ＢＰＦ２８Ｄおよびバッファ増幅器４４Ｂに接続され、ＢＰＦ２８Ｄの出力にバッファ増幅器４４Ｂの出力を混合し、ＩＦ信号を出力するミキサー３０Ｄとを含む。
【００４６】
ＬＮＢ８はさらに、ミキサー３０Ａ〜３０Ｄに接続され、後述する制御マイクロコンピュータ（以下「制御マイコン」という）３８Ａおよび電圧比較器３６Ａの出力に従い、ミキサー３０Ａ〜３０Ｄより出力されるＩＦ信号を選択し、２つの出力ポートから出力する４×２ＩＦスイッチＩＣ（Integrated Circuit）３２Ａと、４×２ＩＦスイッチＩＣ３２Ａの２つの出力ポートにそれぞれ接続されたＩＦ増幅器３４Ａおよび３４Ｂと、ＩＦ増幅器３４Ａおよび３４Ｂの出力にそれぞれ接続された低周波ノイズカットのためのキャパシタ３５Ａおよびキャパシタ３５Ｂとを含む。
【００４７】
キャパシタ３５Ａおよび３５Ｂには、それぞれＩＦ信号の出力ポートＡおよびＢが接続されており、出力ポートＡおよびＢの先には、受信機がそれぞれ接続されている。受信機については後述する。
【００４８】
４×２ＩＦスイッチＩＣ３２Ａの２つの出力ポートより出力されるＩＦ信号は、同じ種類のＩＦ信号であってもよいし、異なる種類のＩＦ信号であってもよい。
【００４９】
出力ポートＡおよびＢに接続された受信機からは、８ビットのデジタルシリアルデータがＬＮＢ８にそれぞれ供給され、デジタルシリアルデータが供給された後に、直流ＤＣが供給される。デジタルシリアルデータは、８ビットからなる。１ビット目は、デジタルシリアルデータの始まりを示すスタートビットである。２ビット目から４ビット目は、８ビットのデータの誤り検出／訂正符号である。５ビット目から８ビット目は、スイッチビットと呼ばれる衛星を選択するためのコードである。このシリアルデータの１ビットは、８ｍｓｅｃの長さの電圧値で示され、電圧値が１３Ｖのときに０を表わし、電圧値が１８Ｖのときに１を表わす。直流ＤＣの電圧値は、１３Ｖおよび１８Ｖの２種類があり、１３Ｖのときに右旋偏波信号が選択され、１８Ｖのときに左旋偏波信号が選択される。
【００５０】
ＬＮＢ８はさらに、出力ポートＡおよびＢに接続され、それぞれの出力ポートに接続された受信機よりデジタルシリアルデータを受け、デジタルシリアルデータのスイッチビットに従い、衛星の選択信号を４×２ＩＦスイッチＩＣ３２Ａに与える制御マイコン３８Ａと、出力ポートＡおよびＢに接続され、それぞれの出力ポートより直流ＤＣを受け、所定のしきい値と比較することにより、偏波信号の選択信号を４×２ＩＦスイッチＩＣ３２Ａに与える電圧比較器３６Ａと、出力ポートＡおよびＢに接続され、電圧値のレギュレーションを行ない、ＩＦ増幅器３４Ａおよび３４Ｂ、制御マイコン３８Ａならびに後述する電源回路４０に一定の電圧値の電力を供給する定電圧レギュレータ４２Ａと、定電圧レギュレータ４２Ａに接続され、定電圧レギュレータ４２Ａより供給される電力を所望の電圧電流に変換して、ＬＮＡ２２Ａおよび２２Ｂ、バッファ増幅器４４Ａおよび４４Ｂならびに局部発振器２６などに供給する電源回路４０とを含む。
【００５１】
図４を参照して、受信機の一例としてセットトップボックス８０について説明する。セットトップボックス８０は、ＬＮＢ８の一方の出力ポートに入力ポート７１を介して接続され、出力ポートよりＩＦ信号を受信し、デジタル信号に変換するチューナー部７０と、チューナー部７０に接続され、受信したデジタル信号を処理し、映像信号、音声信号および受信状態などに関する情報（以下「受信信号情報」という）を出力するデジタル信号処理部７６と、放送衛星およびチャンネルを選択するための選択信号を入力する入力部８２と、デジタル信号処理部７６、入力部８２およびテレビジョン受像機またはパーソナルコンピュータなどの外部機器に接続され、入力部８２または外部機器より受信した選択信号に基づいて、衛星および偏波信号を選択するためのコマンドデータを出力するとともに、外部機器に選択信号や受信信号情報などのデジタル情報（ステータス信号）を供給するコントロール部７８と、電源部７４と、コントロール部７８および電源部７４に接続され、コントロール部７８より出力されるコマンドデータに基づいて、８ビットのデジタルシリアルデータおよび直流ＤＣを電源部７４より出力させるデジタルシリアル信号発生部７２とを含む。電源部７４より出力されたデジタルシリアル信号および直流ＤＣは、入力ポート７１を介してＬＮＢの出力ポートに接続された同軸ケーブルに重畳され、ＬＮＢ８に伝達される。
【００５２】
図３および図４を参照して、ＬＮＢ８およびセットトップボックス８０の動作について説明する。
【００５３】
図４を参照して、セットトップボックス８０の入力部８２より１１９°衛星の３チャンネルの衛星放送信号を要求する選択信号が入力されたものとする。なお、奇数チャンネルの衛星放送信号は、右旋偏波信号に重畳されているものとする。コントロール部７８は、１１９°衛星の右旋偏波信号を選択するためのコマンドデータを出力する。デジタルシリアル信号発生部７２は、コマンドデータを受け、コマンドデータに基づき、電源部７４を駆動して、デジタルシリアルデータおよび直流ＤＣを出力させる。
【００５４】
再度図３を参照して、デジタルシリアルデータおよび直流ＤＣは、出力ポートＢよりＬＮＢ８に供給される。一方、１１９°衛星から送信される左旋偏波信号および右旋偏波信号はＬＮＡ２２Ａで低雑音増幅される。１１０°衛星から送信される左旋偏波信号および右旋偏波信号は、ＬＮＡ２２Ｂで低雑音増幅される。ＬＮＡ２２Ａで低雑音増幅された左旋偏波信号および右旋偏波信号は、ＢＰＦ２８Ａおよび２８Ｂでそれぞれフィルタ処理され、イメージ信号が除去される。ＬＮＡ２２Ｂで低雑音増幅された左旋偏波信号および右旋偏波信号は、ＢＰＦ２８Ｃおよび２８Ｄでそれぞれフィルタ処理され、イメージ信号が除去される。
【００５５】
局部発振器２６で発生したローカルオシレータ信号はバッファ増幅器４４Ａおよび４４Ｂで増幅される。ミキサー３０Ａは、ＢＰＦ２８Ａの出力にバッファ増幅器４４Ａの出力を混合し、ＩＦ信号を４×２ＩＦスイッチＩＣ３２Ａに供給する。ミキサー３０Ｂは、ＢＰＦ２８Ｂの出力にバッファ増幅器４４Ａの出力を混合し、ＩＦ信号を４×２ＩＦスイッチＩＣ３２Ａに供給する。ミキサー３０Ｃは、ＢＰＦ２８Ｃの出力にバッファ増幅器４４Ｂの出力を混合し、ＩＦ信号を４×２ＩＦスイッチＩＣ３２Ａに供給する。ミキサー３０Ｄは、ＢＰＦ２８Ｄの出力にバッファ増幅器４４Ｂの出力を混合し、ＩＦ信号を４×２ＩＦスイッチＩＣ３２Ａに供給する。
【００５６】
制御マイコン３８Ａは、出力ポートＡおよびＢに接続された受信機よりデジタルシリアルデータをそれぞれ受信する。出力ポートＢには、セットトップボックス８０が接続されており、制御マイコン３８Ａは、１１９°衛星を選択するためのデジタルシリアルデータを受信する。このため、制御マイコン３８Ａは、出力ポートＢより受信したシリアルデータに従い、出力ポートＢに接続された４×２ＩＦスイッチＩＣ３２Ａの出力ポートから１１９°衛星より送信された衛星放送信号を出力させるための選択信号を４×２ＩＦスイッチＩＣ３２Ａに供給する。
【００５７】
電圧比較器３６Ａは、出力ポートＡおよびＢに接続された受信機より直流ＤＣを受ける。出力ポートＢには、セットトップボックス８０が接続されており、電圧比較器３６Ａは、出力ポートＢより供給された直流ＤＣの電圧を所定のしきい値と比較し、出力ポートＢに接続された出力ポートから右旋偏波信号を出力させるための選択信号を４×２ＩＦスイッチＩＣ３２Ａに供給する。これにより、１１９°衛星の右旋偏波信号が４×２ＩＦスイッチＩＣ３２Ａより出力され、ＩＦ増幅器３４Ｂで増幅された後、出力ポートＢより出力される。
【００５８】
再度図４を参照して、出力ポートＢに入力ポート７１を介して接続されたチューナー部７０は、ＩＦ信号を受信し、デジタル信号に変換する。デジタル信号処理部７６は、チューナー部７０で変換されたデジタル信号より映像信号、音声信号および受信信号情報を抽出するとともに、映像信号および音声信号を外部機器に出力し、コントロール部７８に受信信号情報を供給する。コントロール部７８は、デジタル信号処理部７６より受信した受信信号情報および入力部８２より入力された選択信号に基づいて、現在受信している衛星放送信号の衛星名やチャンネルなどの情報をステータス信号として外部機器に出力する。
【００５９】
外部機器としてパーソナルコンピュータが用いられている場合には、パーソナルコンピュータ上で映像信号および音声信号の再生ができるとともに、選択信号やステータス信号に基づき、衛星および偏波信号の選択や、受信状態などをコンピュータプログラムに従って管理することができる。よって、視聴者がどの番組をどれだけの時間見たかという実績情報などを取得することができる。また、視聴者が番組を見ていないときに、衛星からコンピュータプログラムのダウンロードをすることができる。このため、パーソナルコンピュータのシステムのメンテナンスやサービスのグレードアップなどを行なうことができる。
【００６０】
上述のコンピュータプログラムによる管理は、各外部機器ごとに独立して行なうことができる。
【００６１】
なお、上述のパーソナルコンピュータの機能をテレビジョン受像機やビデオテープレコーダなどに持たせることも可能である。また、セットトップボックス８０の機能自体を、パーソナルコンピュータ、テレビジョン受像機やビデオテープレコーダなどに内蔵させることも可能である。
【００６２】
上述のようにＬＮＢ８を構成することにより、１つのＬＮＢ８に２つの受信機を接続させることができる。また、２つの受信機は、独立して、衛星および偏波信号の選択を行なうことができる。このため、軌道位置の異なる衛星ごとに個別の衛星放送受信用アンテナを設置する必要がなくなる。
【００６３】
また、衛星を選択するスイッチビットは４ビットよりなる。このため、最大１６（＝２4）個の衛星を選択することが可能である。たとえば、４×２ＩＦスイッチＩＣ３２Ａの代わりに、６つの入力と２つの出力を有する６×２ＩＦスイッチＩＣを用い、図３と同様のＬＮＡ、ＢＰＦ、ミキサーおよびＩＦ増幅器などを追加することにより、３つの衛星からの衛星放送信号を受信することができる。
【００６４】
また、衛星ごとに、局部発振器とミキサーとの間にバッファ増幅器を接続している。このため、ある衛星のＲＦ（Radio Frequency）信号が他の衛星のＲＦ信号に漏洩することを抑制することができ、異なる衛星間でのＲＦ信号のアイソレーションを良好なものにすることができる。
【００６５】
なお、ＢＰＦ２８Ａ〜２８Ｄの代わりに、ＨＰＦ（High Pass Filter）または除波器（トラップ）を用いてもよい。
【００６６】
また、上述の実施の形態では、デジタルシリアルデータおよび直流ＤＣを用いて、衛星および偏波信号の選択をそれぞれ行なったが、デジタルシリアルデータのみで、衛星および偏波信号の選択を行なうようにしてもよい。
【００６７】
さらに、４×２ＩＦスイッチＩＣ３２Ａの後段にＩＦ増幅器３４Ａおよび３４Ｂを設けたが、４×２ＩＦスイッチＩＣ３２Ａの前段にＩＦ増幅器を設け、４×２ＩＦスイッチＩＣ３２Ａに入力される中間周波数信号をあらかじめ増幅するようにしてもよい。
【００６８】
［実施の形態２］
図５を参照して、実施の形態２に係るＬＮＢは、実施の形態１に係るＬＮＢ８に定電圧レギュレータ４２Ｂおよび４２Ｃをさらに追加したものである。また、定電圧レギュレータ４２Ａは、電源回路４０および制御マイコン３８Ａのみに電力を供給し、ＩＦ増幅器３４Ａおよび３４Ｂには電力を供給しない。
【００６９】
定電圧レギュレータ４２Ｂは、出力ポートＡに接続され、電圧値のレギュレーションを行なった後、ＩＦ増幅器３４Ａに電力を供給する。定電圧レギュレータ４２Ｃは、出力ポートＢに接続され、電圧値のレギュレーションを行なった後、ＩＦ増幅器３４Ｂに電力を供給する。
【００７０】
上述のようにＬＮＢを構成することにより、受信機が接続されているＩＦ増幅器のみに電力を供給し、受信機が接続されていないＩＦ増幅器には電力を供給しないようにすることができる。このため、ＩＦ信号を増幅する必要がない場合にはＩＦ増幅器には電力が供給されず、ＬＮＢの消費電力を削減することができる。
【００７１】
［実施の形態３］
図３または図５を参照して説明した実施の形態１または２に係るＬＮＢでは、ＬＮＢの各部を駆動するための電力は、出力ポートＡおよびＢの双方から定電圧レギュレータ４２Ａに与えられる。一方、出力ポートＡおよびＢから定電圧レギュレータ４２Ａに与えられる電力の電圧値には１８Ｖおよび１３Ｖの２種類がある。仮に、ＬＮＢの各部を駆動するために必要な全電流が２００ｍＡであるとする。出力ポートＡおよびＢから定電圧レギュレータ４２Ａに与えられる電圧が共に１８Ｖまたは共に１３Ｖの場合には、出力ポートＡおよびＢから定電圧レギュレータ４２Ａに与えられる電流は等しく、１００ｍＡずつである。しかし、出力ポートＡおよびＢの一方から与えられる電圧が１８Ｖであり、他方から与えられる電圧が１３Ｖの場合には、電圧の高い出力ポートから全電流の２００ｍＡが与えられることになる。
【００７２】
出力ポートＡまたはＢから供給されるデジタルシリアルデータは、１８Ｖまたは１３Ｖの電圧値により論理を表現したものである。たとえば出力ポートＡからデジタルシリアルデータが供給されると、電圧値が１８Ｖと１３Ｖとの間で数回にわたって変化する。すると、出力ポートＡ、Ｂの一方から全電流が供給される状態と、出力ポートＡ、Ｂから等しい電流が供給される状態との間で何回かの遷移が起こる。このため、出力ポートＡから与えられる電流のみならず出力ポートＢから与えられる電流までもが変化してしまう。出力ポートＢにおいては、出力ポートＢに接続された同軸ケーブルの存在によって、電圧降下が生じ、出力ポートＢにおいて架空のデジタルシリアルデータが発生してしまう。このため、ＬＮＢが誤動作をし、出力ポートＢに接続された受信機に偽の衛星放送信号が送信されるという問題があった。特にこの現象は、出力ポートに接続される同軸ケーブルの抵抗値が大きい場合や、ケーブルの長さが長い場合に顕著となる。
【００７３】
図６を参照して、実施の形態３に係るＬＮＢは、実施の形態２に係るＬＮＢにパワースイッチ４５を追加し、制御マイコン３８Ａの代わりに制御マイコン３８Ｂを用いたものである。パワースイッチ４５は２つの入力と１つの出力とを有し、２つの入力は出力ポートＡおよびＢにそれぞれ接続され、１つの出力は定電圧レギュレータ４２Ａに接続されている。パワースイッチ４５は、制御マイコン３８Ｂより出力される制御信号に従い、出力ポートＡおよびＢのいずれかより電力を受け、定電圧レギュレータ４２Ａに供給する。
【００７４】
制御マイコン３８Ｂは、出力ポートＡおよびＢに接続され、それぞれの出力ポートよりデジタルシリアルデータを受け、デジタルシリアルデータのスイッチビットに従い、衛星の選択信号を４×２ＩＦスイッチＩＣ３２Ａに与える。それとともに、制御マイコン３８Ｂは、出力ポートＡより電力が供給されている場合には、出力ポートＡより供給される電力をパワースイッチ４５より出力させるための制御信号をパワースイッチ４５に与える。制御マイコン３８Ｂは、出力ポートＡより電力が供給されていない場合には、出力ポートＢより供給される電力をパワースイッチ４５より出力させるための制御信号をパワースイッチ４５に与える。
【００７５】
このような構成にすることにより、出力ポートＡに受信機が接続されている場合には、常に出力ポートＡからＬＮＢを駆動するための電力が供給される。よって、出力ポートＡから供給される電流は常に一定となり、そのため出力ポートＢにおける電圧には変化は生じず、ＬＮＢが誤動作をすることにより、出力ポートＢに接続された受信機に偽の衛星放送信号が送信されるという問題は生じなくなる。このため、安定に、受信機を動作させることができる。
【００７６】
［実施の形態４］
図７を参照して、実施の形態４に係るＬＮＢは、１１９°衛星より送信される左旋偏波信号および右旋偏波信号を受けるＬＮＡ２２Ａと、１１０°衛星より送信される左旋偏波信号および右旋偏波信号を受けるＬＮＡ２２Ｂと、ＬＮＡ２２Ａに接続されたＢＰＦ２８Ａおよび２８Ｂと、ＬＮＡ２２Ｂに接続されたＢＰＦ２８Ｃおよび２８Ｄと、局部発振器２６と、局部発振器２６に接続されたバッファ増幅器４４Ａおよび４４Ｂとを含む。
【００７７】
ＬＮＢはさらに、ＢＰＦ２８Ａおよびバッファ増幅器４４Ａに接続されたミキサー３０Ａと、ＢＰＦ２８Ｂおよびバッファ増幅器４４Ａに接続されたミキサー３０Ｂと、ＢＰＦ２８Ｃおよびバッファ増幅器４４Ｂに接続されたミキサー３０Ｃと、ＢＰＦ２８Ｄおよびバッファ増幅器４４Ｂに接続されたミキサー３０Ｄとを含む。
【００７８】
ＬＮＢはさらに、各々ミキサー３０Ａ〜３０Ｄに接続され、後述する制御マイコン３８Ｃおよび電圧比較器３６Ｂの出力に従い、ミキサー３０Ａ〜３０Ｄより出力されるＩＦ信号を選択し、各々２つの出力ポートから出力する４×２ＩＦスイッチＩＣ３２Ａおよび３２Ｂと、４×２ＩＦスイッチＩＣ３２Ａおよび３２Ｂの計４つの出力ポートに接続されたＩＦ増幅器３４Ｃと、ＩＦ増幅器３４の出力に接続された低周波ノイズカットのためのキャパシタ３５Ａ〜３５Ｄとを含む。
【００７９】
キャパシタ３５Ａ〜３５Ｄには、それぞれＩＦ信号の出力ポートＡ〜Ｄが接続されており、出力ポートＡ〜Ｄの先には、受信機が接続されている。
【００８０】
また、４×２ＩＦスイッチＩＣ３２Ａおよび３２Ｂの計４つの出力ポートより出力されるＩＦ信号は、同じ種類のＩＦ信号であってもよいし、異なる種類のＩＦ信号であってもよい。
【００８１】
ＬＮＢはさらに、出力ポートＡ〜Ｄに接続され、それぞれの出力ポートよりデジタルシリアルデータを受け、デジタルシリアルデータのスイッチビットに従い、衛星の選択信号を４×２ＩＦスイッチＩＣ３２Ａおよび３２Ｂに与える制御マイコン３８Ｃと、出力ポートＡ〜Ｄに接続され、それぞれの出力ポートより直流ＤＣを受け、所定のしきい値と比較することにより、偏波信号の選択信号を４×２ＩＦスイッチＩＣ３２Ａおよび３２Ｂに与える電圧比較器３６Ｂと、出力ポートＡ〜Ｄに接続された定電圧レギュレータ４２Ａと、定電圧レギュレータ４２Ａに接続された電源回路４０とを含む。
【００８２】
上述のように、４×２ＩＦスイッチＩＣを２つ用いて４×４ＩＦスイッチＩＣの代わりとすることにより、実施の形態１に係るＬＮＢと共通の部品を用いて４つの出力ポートを有するＬＮＢを提供することができる。
【００８３】
また、４×２ＩＦスイッチＩＣを順次増加させることにより、ＬＮＢの出力ポートの数を６つ、８つと順次増加させることができる。
【００８４】
また、４×２ＩＦスイッチＩＣの代わりに実施の形態１で説明した６×２ＩＦスイッチＩＣを用い、６×２ＩＦスイッチＩＣのスイッチを２個、４個と増加させることにより、出力ポートの数を４つ、６つと増加させた３つの衛星からの衛星放送信号を受信することができるＬＮＢを提供することができる。
【００８５】
［実施の形態５］
図１０を参照して、実施の形態５に係るＬＮＢは、図３を参照して説明した実施の形態１に係るＬＮＢ８において４×２ＩＦスイッチＩＣ３２Ａの代わりに、スイッチ部９０Ａを用い、制御マイコン３８Ａの代わりに制御マイコン３８Ｄを用いたものである。
【００８６】
スイッチ部９０Ａは、ミキサー３０Ａおよび３０Ｂの出力を入力とし、制御マイコン３８Ｄより出力されるポート選択信号および電圧比較器３６Ａより出力される偏波信号の選択信号に従い、２つの出力を決定する２×２ＩＦスイッチＩＣ９２Ａと、ミキサー３０Ｃおよび３０Ｄの出力を入力とし、制御マイコン３８Ｄより出力されるポート選択信号および電圧比較器３６Ａより出力される偏波信号の選択信号に従い、２つの出力を決定する２×２ＩＦスイッチＩＣ９２Ｂとを含む。
【００８７】
２×２ＩＦスイッチＩＣ９２Ａの第１出力（図中上側の出力）および２×２ＩＦスイッチＩＣ９２Ｂの第１出力（図中上側の出力）は、ポートＡに対する偏波信号の選択信号に従った出力を行なう。２×２ＩＦスイッチＩＣ９２Ａの第２出力（図中下側の出力）および２×２ＩＦスイッチＩＣ９２Ｂの第２出力（図中下側の出力）は、ポートＢに対する偏波信号の選択信号に従った出力を行なう。
【００８８】
スイッチ部９０Ａは、さらに、２×２ＩＦスイッチＩＣ９２Ａの第１出力および２×２ＩＦスイッチＩＣ９２Ｂの第１出力を入力として受け、制御マイコン３８Ｄより出力されるポートＡに関連する衛星の選択信号により一方の入力をＩＦ増幅器３４Ａに導くスイッチ９４Ａと、２×２ＩＦスイッチＩＣ９２Ａの第２出力および２×２ＩＦスイッチＩＣ９２Ｂの第２出力を入力として受け、制御マイコン３８Ｄより出力されるポートＢに関連する衛星の選択信号により一方の入力をＩＦ増幅器３４Ｂに導くスイッチ９４Ｂとを含む。
【００８９】
たとえば、ポートＡに接続された受信機より１１９度衛星の左旋偏波信号が選択された場合には、制御マイコン３８Ｄは、２×２ＩＦスイッチＩＣ９２Ａおよび９２Ｂに、ポートＡのポート選択信号を供給する。また、電圧比較器３６Ａは、２×２ＩＦスイッチＩＣ９２Ａおよび９２Ｂに左旋偏波信号の選択信号を供給する。すると、２×２ＩＦスイッチＩＣ９２Ａの第１出力より１１９度衛星の左旋偏波信号が出力される。また、２×２ＩＦスイッチＩＣ９２Ｂの第１出力より１１０度衛星の左旋偏波信号が出力される。スイッチ９４Ａは、制御マイコン３８Ｄから出力される偏波信号の衛星の選択信号を受け、２×２ＩＦスイッチＩＣ９２Ａの出力（１１９度衛星の左旋偏波信号）をＩＦ増幅器３４Ａに導く。
【００９０】
ポートＢに接続された受信機からの衛星および偏波信号の選択に対しても同様の動作が行なわれる。このため、その詳細な説明はここでは繰返さない。
【００９１】
以上説明したスイッチ９４Ａおよび９４Ｂは、トランジスタ、ダイオード、キャパシタ、抵抗等の回路部品の集合体であってもよいし、ＩＣであってもよいし、またはリレー等の機械的スイッチであってもよい。
【００９２】
上述のようにＬＮＢを構成することにより、１つのＬＮＢに２つの受信機を接続させることができる。また、２つの受信機は、独立して、衛星および偏波信号の選択を行なうことができる。このため、軌道位置の異なる衛星ごとに個別の衛星放送受信用アンテナを設置する必要がなくなる。
【００９３】
［実施の形態６］
図１１を参照して、実施の形態６に係るＬＮＢは、図５を参照して説明した実施の形態２に係るＬＮＢにおいて４×２ＩＦスイッチＩＣ３２Ａの代わりに、スイッチ部９０Ａを用い、制御マイコン３８Ａの代わりに制御マイコン３８Ｄを用いたものである。
【００９４】
スイッチ部９０Ａの構成および動作は、実施の形態５に示したものと同様である。このため、その詳細な説明はここでは繰返さない。制御マイコン３８Ｄの動作は、実施の形態５に示したものと同様である。このため、その詳細な説明はここでは繰返さない。
【００９５】
定電圧レギュレータ４２Ａは、電源回路４０および制御マイコン３８Ｄのみに電力を供給し、ＩＦ増幅器３４Ａおよび３４Ｂには電力を供給しない。
【００９６】
定電圧レギュレータ４２Ｂは、出力ポートＡに接続され、電圧値のレギュレーションを行なった後、ＩＦ増幅器３４Ａに電力を供給する。定電圧レギュレータ４２Ｃは、出力ポートＢに接続され、電圧値のレギュレーションを行なった後、ＩＦ増幅器３４Ｂに電力を供給する。
【００９７】
上述のようにＬＮＢを構成することにより、受信機が接続されているＩＦ増幅器のみに電力を供給し、受信機が接続されていないＩＦ増幅器には電力を供給しないようにすることができる。このため、ＩＦ信号を増幅する必要がない場合にはＩＦ増幅器には電力が供給されず、ＬＮＢの消費電力を削減することができる。
【００９８】
［実施の形態７］
図１２を参照して、実施の形態７に係るＬＮＢは、図６を参照して説明した実施の形態３に係るＬＮＢにおいて４×２ＩＦスイッチＩＣ３２Ａの代わりに、スイッチ部９０Ａを用い、制御マイコン３８Ｂの代わりに、制御マイコン３８Ｅを用いたものである。
【００９９】
スイッチ部９０Ａの構成および動作は、実施の形態５で説明したのと同様である。このためその詳細な説明はここでは繰返さない。
【０１００】
制御マイコン３８Ｅは、出力ポートＡおよびＢに接続され、それぞれの出力ポートよりデジタルシリアルデータを受け、デジタルシリアルデータのスイッチビットに従い、スイッチ部９０Ａ内部の２×２ＩＦスイッチＩＣ９２Ａおよび９２Ｂ（図１０）のポートの選択信号と、衛星の選択信号とをスイッチ部９０Ａに与える。それとともに、制御マイコン３８Ｅは、出力ポートＡより電力が供給されている場合には、出力ポートＡより供給される電力をパワースイッチ４５より出力させるための制御信号をパワースイッチ４５に与える。制御マイコン３８Ｅは、出力ポートＡより電力が供給されていない場合には、出力ポートＢより供給される電力をパワースイッチ４５より出力させるための制御信号をパワースイッチ４５に与える。
【０１０１】
このような構成にすることにより、出力ポートＡに受信機が接続されている場合には、常に出力ポートＡからＬＮＢを駆動するための電力が供給される。よって、出力ポートＡから供給される電流は常に一定となり、そのため出力ポートＢにおける電圧には変化は生じず、ＬＮＢが誤動作をすることにより、出力ポートＢに接続された受信機に偽の衛星放送信号が送信されるという問題は生じなくなる。このため、安定に、受信機を動作させることができる。
【０１０２】
［実施の形態８］
図１３を参照して、実施の形態８に係るＬＮＢは、図７を参照して説明した実施の形態４に係るＬＮＢにおいて、４×２ＩＦスイッチＩＣ３２Ａおよび３２Ｂの代わりに、それぞれスイッチ部９０Ａおよび９０Ｂを用い、制御マイコン３８Ｃの代わりに制御マイコン３８Ｆを用いたものである。
【０１０３】
制御マイコン３８Ｆは、スイッチ部９０Ａおよび９０Ｂに、２×２ＩＦスイッチＩＣ９２Ａおよび９２Ｂ（図１０）のポートの選択信号と、衛星の選択信号とを与える。
【０１０４】
上述のようにスイッチ部を２つ用いて４×４ＩＦスイッチＩＣの代わりとすることにより、実施の形態５に係るＬＮＢと共通の部品を用いて４つの出力ポートを有するＬＮＢを提供することができる。
【０１０５】
［実施の形態９］
図１１を参照して説明した実施の形態６に係るＬＮＢでは、実施の形態３でも説明したように、出力ポートＡまたは出力ポートＢにおいて、架空のデジタルシリアルデータが発生してしまうという問題を同様に抱えている。
【０１０６】
図１４は、図１１のＬＮＢにおけるポートＡおよびＢからＬＮＢの主要回路へ電圧供給を行なうための回路図である。
【０１０７】
図１４を参照して、当該回路は、一方がポートＡに接続され他方が接地された抵抗Ｒ１と、一方がポートＡに接続された抵抗Ｒ２と、一方が抵抗Ｒ２の他方に接続され他方が接地されたキャパシタＣ１と、一方が抵抗Ｒ２の他方に接続され他方が接地されたキャパシタＣ２と、一方が抵抗Ｒ２の他方に接続された定電圧レギュレータ４２Ｂと、一方が定電圧レギュレータ４２ＢおよびＩＦ増幅器３４Ａの経路上に接続され他方が接地されたキャパシタＣ３とを含む。
【０１０８】
当該回路は、さらに、エミッタが抵抗Ｒ２の他方に接続されたトランジスタＱ６４とトランジスタＱ６４のコレクタに接続されたダイオードＤ１と、一方がトランジスタＱ６４のベースに接続された抵抗Ｒ３と、抵抗Ｒ３の他方に接続されたデジタルトランジスタＱ６３と、デジタルトランジスタＱ６３に接続されたデジタルトランジスタＱ６１と、一方が抵抗Ｒ２の他方に接続され他方がデジタルトランジスタＱ６３およびＱ６１を結ぶ経路上に接続された抵抗Ｒ６と、一方がデジタルトランジスタＱ６１に接続され他方が接地された抵抗Ｒ９とを含む。
【０１０９】
当該回路は、さらに、一方がポートＢに接続され他方が接地された抵抗Ｒ１１と、一方がポートＢに接続された抵抗Ｒ１２と、一方がデジタルトランジスタＱ６１に接続され他方が抵抗Ｒ１２の他方に接続された抵抗Ｒ１０と、エミッタが抵抗Ｒ１２の他方に接続されたトランジスタＱ６２と、一方がトランジスタＱ６２のベースに接続され他方が接地された抵抗Ｒ１３と、一方がトランジスタＱ６２のコレクタに接続され他方が定電圧レギュレータ４２Ａに接続されたダイオードＤ２と、一方がダイオードＤ２の出力に接続され他方が接地されたキャパシタＣ４と、一方がダイオードＤ１の出力およびＤ２の出力に接続され他方が接地されたキャパシタＣ５と、一方がダイオードＤ１の出力およびＤ２の出力に接続された定電圧レギュレータ４２Ａと、定電圧レギュレータ４２Ａおよび電源回路４０を結ぶ経路上に一方が接続され他方が接地されたキャパシタＣ６とを含む。
【０１１０】
当該回路は、さらに、一方が抵抗Ｒ１２の他方に接続され他方が接地されたキャパシタＣ７と、一方が抵抗Ｒ１２の他方に接続され他方が接地されたキャパシタＣ８と、抵抗Ｒ１２の他方に接続された定電圧レギュレータ４２Ｃと、定電圧レギュレータ４２ＣおよびＩＦ増幅器３４Ｂを結ぶ経路上に一方が接続され他方が接地されたキャパシタＣ９とを含む。
【０１１１】
デジタルトランジスタＱ６３は、コレクタが抵抗Ｒ３の他方に接続されエミッタが接地されたトランジスタＴ１と、一方がトランジスタＴ１のベースに接続され他方が接地された抵抗Ｒ４と、一方がトランジスタＴ１のベースに接続され他方が抵抗Ｒ６に接続された抵抗Ｒ５とを含む。
【０１１２】
デジタルトランジスタＱ６１は、コレクタが抵抗Ｒ５の他方に接続されエミッタが接地されたトランジスタＴ２と、一方がトランジスタＴ２のベースに接続され他方が接地された抵抗Ｒ７と、一方がトランジスタＴ２のベースに接続され他方が抵抗Ｒ１０の一方に接続された抵抗Ｒ８とを含む。
【０１１３】
ＬＮＢの各部を駆動するための電力は、出力ポートＡおよびＢの双方から定電圧レギュレータ４２Ａに与えられる。一方、出力ポートＡおよびＢから定電圧レギュレータ４２Ａに与えられる電力の電圧値には１８Ｖおよび１３Ｖの２種類がある。仮に、ＬＮＢの各部を駆動するために必要な全電流が２００ｍＡであるとする。出力ポートＡおよびＢから定電圧レギュレータ４２Ａに与えられる電圧が共に１８Ｖまたは共に１３Ｖの場合には、出力ポートＡおよびＢから定電圧レギュレータ４２Ａに与えられる電流は等しく、１００ｍＡずつである。しかし、出力ポートＡおよびＢの一方から与えられる電圧が１８Ｖであり、他方から与えられる電圧が１３Ｖの場合には、電圧の高い出力ポートから全電流の２００ｍＡが与えられることになる。
【０１１４】
出力ポートＡまたはＢから供給されるデジタルシリアルデータは、１８Ｖまたは１３Ｖの電圧値により論理を表現したものである。たとえば出力ポートＡからデジタルシリアルデータが供給されると、電圧値が１８Ｖと１３Ｖとの間で数回にわたって変化する。すると、出力ポートＡ、Ｂの一方から全電流が供給される状態と、出力ポートＡ、Ｂから等しい電流が供給される状態との間で何回かの遷移が起こる。このため、出力ポートＡから与えられる電流のみならず出力ポートＢから与えられる電流までもが変化してしまう。出力ポートＢにおいては、出力ポートＢに接続された同軸ケーブルの存在によって、電圧降下が生じ、出力ポートＢにおいて架空のデジタルシリアルデータが発生してしまう。このため、ＬＮＢが誤動作をし、出力ポートＢに接続された受信機に偽の衛星放送信号が送信されるという問題があった。特にこの現象は、出力ポートに接続される同軸ケーブルの抵抗値が大きい場合や、ケーブルの長さが長い場合に顕著となる。
【０１１５】
本実施の形態によるＬＮＢは、図１２を参照して説明した、実施の形態７に係るＬＮＢと同様の構成を有する。このため、その詳細な説明はここでは繰返さない。
【０１１６】
図１５は、図１２のＬＮＢにおけるポートＡおよびポートＢからＬＮＢの主要回路へ電圧供給を行なうための回路図であり、主にパワースイッチ４５の構成を示している。
【０１１７】
図１５を参照して、当該回路は、一方がポートＡに接続され他方が接地された抵抗Ｒ１と、一方がポートＡに接続された抵抗Ｒ２と、一方が抵抗Ｒ２の他方に接続され他方が接地されたキャパシタＣ１と、一方が抵抗Ｒ２の他方に接続され他方が接地されたキャパシタＣ２と、抵抗Ｒ２の他方に接続された定電圧レギュレータ４２Ｂと、定電圧レギュレータ４２ＢおよびＩＦ増幅器３４Ａを結ぶ経路上に一方が接続され他方が接地されたキャパシタＣ３とを含む。
【０１１８】
当該回路は、さらに、エミッタが抵抗Ｒ２の他方に接続されたトランジスタＱ４３と、一方が抵抗Ｒ２の他方に接続され他方がトランジスタＱ４３のベースに接続された抵抗Ｒ２３と、一方がトランジスタＱ４３のベースに接続された抵抗Ｒ３と、一方が抵抗Ｒ３の他方に接続され他方が接地されたキャパシタＣ１０と、トランジスタＱ４３のコレクタに接続されたダイオードＤ１と、一方が８ボルトの電圧の電流が供給されるポートＡに接続された抵抗Ｒ１７と、一方が抵抗Ｒ１７の他方に接続され他方が接地された抵抗Ｒ１８と、８ボルト電圧が供給されるポートＡに接続されかつ抵抗Ｒ１８の一方の電位をプラス端子に受けるコンパレータＩＣ４１と、一方が８ボルト電圧を供給するポートＡに接続され他方がコンパレータＩＣ４１の出力に接続された抵抗Ｒ１４と、抵抗Ｒ３の他方およびコンパレータＩＣ４１の出力に接続されたデジタルトランジスタＱ４２とを含む。
【０１１９】
当該回路は、さらに、一方がコンパレータＩＣ４１のマイナス端子に接続され他方が接地されたキャパシタＣ１１と、一方がコンパレータＩＣ４１のマイナス端子に接続され他方が接地された抵抗Ｒ１９と、一方がポートＢに接続され他方が接地されたＲ１１と、一方がポートＢに接続された抵抗Ｒ１２と、一方がコンパレータＩＣ４１のマイナス端子に接続された抵抗Ｒ２０と、一方が抵抗Ｒ１２の他方に接続された抵抗Ｒ２１と、エミッタが抵抗Ｒ２０の他方に接続されかつベースが抵抗Ｒ２１の他方に接続されたトランジスタＱ４１と、トランジスタＱ４１のコレクタに接続されたダイオードＤ２と、一方がダイオードＤ２の出力に接続され他方が接地されたキャパシタＣ４と、一方がダイオードＤ１の出力およびダイオードＤ２の出力に接続され他方が接地されたキャパシタＣ５と、一方がダイオードＤ１の出力およびダイオードＤ２の出力に接続された定電圧レギュレータ４２Ａと、定電圧レギュレータ４２Ａおよび電源回路４０を結ぶ経路上に一方が接続され他方が接地されたキャパシタＣ６とを含む。
【０１２０】
当該回路は、さらに、一方がトランジスタＱ４１のベースに接続され他方が接地された抵抗Ｒ２２と、一方がトランジスタＱ４１のエミッタに接続され他方が接地されたキャパシタＣ７と、一方がトランジスタＱ４１のエミッタに接続され他方が接地されたキャパシタＣ８と、一方がトランジスタＱ４１のエミッタに接続された定電圧レギュレータ４２Ｃと、定電圧レギュレータ４２Ｃおよび増幅器３４Ｂを結ぶ経路上に一方が接続され他方が接地されたキャパシタＣ９とを含む。
【０１２１】
デジタルトランジスタＱ４２は、コレクタが抵抗Ｒ３の他方に接続されかつエミッタが接地されたトランジスタＴ３と、一方がトランジスタＴ３のベースに接続され他方が接地された抵抗Ｒ１６と、一方がトランジスタＴ３のベースに接続され他方がコンパレータＩＣ４１の出力に接続された抵抗Ｒ１５とを含む。
【０１２２】
図１５に示した回路の動作原理について説明する。
（１）ポートＢに受信機が接続されている場合には、ポートＢから供給される電圧は１３Ｖまたは１８Ｖの２種類である。このため、コンパレータＩＣ４１の出力は常にＬｏｗレベルとなる。コンパレータＩＣ４１の出力がＬｏｗレベルとなると、デジタルトランジスタＱ４２およびトランジスタＱ４３の出力もＬｏｗレベルとなる。このため、定電圧レギュレータ４２ＡにはポートＢからの電圧が供給される。この場合、ポートＡが使用されていてもポートＡから定電圧レギュレータ４２Ａへ電圧が供給されることはない。
【０１２３】
（２）ポートＢに受信機が接続されておらずオープンの場合、コンパレータＩＣ４１の出力がＨｉｇｈレベルとなる。コンパレータＩＣ４１の出力がＨｉｇｈレベルとなると、デジタルトランジスタＱ４２およびトランジスタＱ４３の出力もＨｉｇｈレベルとなる。このため、ポートＡから定電圧レギュレータ４２Ａへ電圧供給が行なわれる。
【０１２４】
このように、ポートＡまたはポートＢの電圧に変化が生じた場合であっても、必ず一方のポートから電圧が供給される。このため、各ポートで消費される電流が変化することがない。よって、ＬＮＢが誤動作をすることにより、出力ポートに接続された受信機に偽の衛星放送信号が送信されるという問題は生じなくなる。このため、安定に、受信機を動作させることができる。
【０１２５】
［実施の形態１０］
図１６を参照して、実施の形態１０に係るＬＮＢは、１１９°衛星より送信される左旋偏波信号および右旋偏波信号受け、それぞれの偏波信号を低雑音増幅するＬＮＡ２２Ａと、１１０°衛星より送信される左旋偏波信号および右旋偏波信号受け、それぞれの偏波信号を低雑音増幅するＬＮＡ２２Ｂと、ＬＮＡ２２Ａに接続され、低雑音増幅された左旋偏波信号および右旋偏波信号よりそれぞれイメージ信号を除去するＢＰＦ２８Ａおよび２８Ｂと、ＬＮＡ２２Ｂに接続され、低雑音増幅された左旋偏波信号および右旋偏波信号よりそれぞれイメージ信号を除去するＢＰＦ２８Ｃおよび２８Ｄと、１１．２５ＧＨｚの正弦波信号（ローカルオシレータ信号）を発生する局部発振器２６と、局部発振器２６に接続されたバッファ増幅器４４Ａおよび４４Ｂとを含む。
【０１２６】
ＬＮＢはさらに、ＢＰＦ２８Ａおよびバッファ増幅器４４Ａに接続され、ＢＰＦ２８Ａの出力にバッファ増幅器４４Ａの出力を混合し、ＩＦ信号を出力するミキサー３０Ａと、ＢＰＦ２８Ｂおよびバッファ増幅器４４Ａに接続され、ＢＰＦ２８Ｂの出力にバッファ増幅器４４Ａの出力を混合し、ＩＦ信号を出力するミキサー３０Ｂと、ＢＰＦ２８Ｃおよびバッファ増幅器４４Ｂに接続され、ＢＰＦ２８Ｃの出力にバッファ増幅器４４Ｂの出力を混合し、ＩＦ信号を出力するミキサー３０Ｃと、ＢＰＦ２８Ｄおよびバッファ増幅器４４Ｂに接続され、ＢＰＦ２８Ｄの出力にバッファ増幅器４４Ｂの出力を混合し、ＩＦ信号を出力するミキサー３０Ｄとを含む。
【０１２７】
ＬＮＢはさらに、ミキサー３０Ａ〜３０Ｄに接続され、後述する制御マイコン３８Ｇおよび電圧比較器３６Ｃの出力に従い、ミキサー３０Ａ〜３０Ｄより出力されるＩＦ信号を選択し、３つの出力ポートから出力するスイッチ部１００と、スイッチ部１００の３つの出力ポートにそれぞれ接続されたＩＦ増幅器３４Ａ〜３４Ｃと、ＩＦ増幅器３４Ａ〜３４Ｃの出力にそれぞれ接続された低周波ノイズカットのためのキャパシタ３５Ａ〜３５Ｃとを含む。
【０１２８】
キャパシタ３５Ａ〜３５Ｃには、それぞれＩＦ信号の出力ポートＡ〜Ｃが接続されており、出力ポートＡ〜Ｃの先には、受信機がそれぞれ接続されている。
【０１２９】
スイッチ部１００の３つの出力ポートより出力されるＩＦ信号は、同じ種類のＩＦ信号であってもよいし、異なる種類のＩＦ信号であってもよい。スイッチ部１００は、４×３ＩＦスイッチＩＣと同様の動作を行なう。
【０１３０】
ＬＮＢはさらに、出力ポートＡ〜Ｃに接続され、それぞれの出力ポートに接続された受信機よりデジタルシリアルデータを受け、デジタルシリアルデータのスイッチビットに従い、衛星の選択信号をスイッチ部１００に与える制御マイコン３８Ｇと、出力ポートＡ〜Ｃに接続され、それぞれの出力ポートより直流ＤＣを受け、所定のしきい値と比較することにより、偏波信号の選択信号をスイッチ部１００に与える電圧比較器３６Ｃとを含む。
【０１３１】
ＬＮＢはさらに、ポートＡに接続され、電圧値のレギュレーションを行ない、ＩＦ増幅器３４Ａに一定の電圧値の電力を供給する定電圧レギュレータ４２Ｂと、ポートＢに接続され、電圧値のレギュレーションを行ない、ＩＦ増幅器３４Ｂに一定の電圧値の電力を供給する定電圧レギュレータ４２Ｃと、ポートＣに接続され、電圧値のレギュレーションを行ない、ＩＦ増幅器３４Ｃに一定の電圧値の電力を供給する定電圧レギュレータ４２Ｄとを含む。
【０１３２】
ＬＮＢはさらに、制御マイコン３８Ｇより出力される制御信号に従い、出力ポートＡ〜Ｃのいずれかより電力を受け、出力するパワースイッチ１０２と、パワースイッチ１０２の出力に接続され、電圧値のレギュレーションを行ない、制御マイコン３８Ｇならびに後述する電源回路４０に一定の電圧値の電力を供給する定電圧レギュレータ４２Ａと、定電圧レギュレータ４２Ａに接続され、定電圧レギュレータ４２Ａより供給される電力を所望の電圧電流に変換して、ＬＮＡ２２Ａおよび２２Ｂ、バッファ増幅器４４Ａおよび４４Ｂならびに局部発振器２６などに供給する電源回路４０とを含む。
【０１３３】
図１７は、図１６のＬＮＢにおけるポートＡ〜ＣからＬＮＢの主要回路へ電圧供給を行なうための回路図であり、主にパワースイッチ１０２の構成を示している。
【０１３４】
図１７を参照して、当該回路は、一方がポートＡに接続され他方が接地された抵抗Ｒ１と、一方がポートＡに接続された抵抗Ｒ２と、一方が抵抗Ｒ２の他方に接続され他方が接地されたキャパシタＣ１と、一方が抵抗Ｒ２の他方に接続され他方が接地されたキャパシタＣ２と、抵抗Ｒ２の他方に接続された定電圧レギュレータ４２Ｂと、定電圧レギュレータ４２ＢおよびＩＦ増幅器３４Ａとを結ぶ経路上に一方が接続され他方が接地されたキャパシタＣ３とを含む。
【０１３５】
当該回路は、さらに、エミッタが抵抗Ｒ２の他方に接続されたトランジスタＱ５５と、一方が抵抗Ｒ２の他方に接続され他方がトランジスタＱ５５のベースに接続された抵抗Ｒ２３と、トランジスタＱ５５のコレクタに接続されたダイオードＤ１と、一方がトランジスタＱ５５のベースに接続された抵抗Ｒ３と、一方が抵抗Ｒ３の他方に接続され他方が接地されたキャパシタＣ１０と、コレクタが抵抗Ｒ３の他方に接続されかつエミッタが接地されたトランジスタＱ５４と、一方がトランジスタＱ５４のベースに接続され他方が接地された抵抗Ｒ１６とを含む。
【０１３６】
当該回路は、さらに、一方が８ボルト電圧を供給するポートＡに接続された抵抗Ｒ１７と、一方が抵抗Ｒ１７の他方に接続され他方が接地された抵抗Ｒ１８と、８ボルト電圧を供給するポートＡに接続され抵抗Ｒ１７の他方がプラス端子に接続されたコンパレータＩＣ５３と、一方が８ボルト電圧を供給するポートＡに接続された抵抗Ｒ１４と、一方が８ボルト電圧を供給するポートＡに接続された抵抗Ｒ２５と、一方が抵抗Ｒ２５の他方に接続され他方が接地された抵抗Ｒ２６と、８ボルト電圧を供給するポートＡに接続され抵抗Ｒ２５の他方がプラス端子に接続されたコンパレータＩＣ５２と、一方がコンパレータＩＣ５２のマイナス端子に接続され他方が接地されたキャパシタＣ１２と、一方がコンパレータＩＣ５２のマイナス端子に接続され他方が接地された抵抗Ｒ２７と、一方が８ボルト電圧を供給するポートＡに接続され他方がコンパレータＩＣ５２の出力に接続された抵抗Ｒ２４と、コンパレータＩＣ５３およびＩＣ５２の出力を入力として受ける２入力ＡＮＤ回路ＩＣ５４と、一方がＡＮＤ回路ＩＣ５４の出力に接続され他方がトランジスタＱ５４のベースに接続された抵抗Ｒ１５とを含む。
【０１３７】
当該回路は、さらに、一方がポートＢに接続され他方が接地された抵抗Ｒ１１と、一方がポートＢに接続された抵抗Ｒ１２と、一方がコンパレータＩＣ５２のマイナス端子に接続され他方が抵抗Ｒ１２の他方に接続された抵抗Ｒ２８と、一方が抵抗Ｒ１２の他方に接続され他方が接地されたキャパシタＣ４と、一方が抵抗Ｒ１２の他方に接続され他方が接地されたキャパシタＣ５と、抵抗Ｒ１２の他方に接続された定電圧レギュレータ４２Ｃと、定電圧レギュレータ４２ＣおよびＩＦ増幅器３４Ｂを結ぶ経路上に一方が接続され他方が接地されたキャパシタＣ６とを含む。
【０１３８】
当該回路は、さらに、エミッタが抵抗Ｒ１２の他方に接続されたトランジスタＱ５３と、トランジスタＱ５３のコレクタに接続され出力がダイオードＤ１の出力と接続されているダイオードＤ２と、一方が抵抗Ｒ１２の他方に接続され他方がトランジスタＱ５３のベースに接続されている抵抗Ｒ２１と、一方がトランジスタＱ５３のベースに接続された抵抗Ｒ２２と、一方が抵抗Ｒ２２の他方に接続され他方が接地されたキャパシタＣ１３と、コレクタが抵抗Ｒ２２の他方に接続されかつエミッタが接地されているトランジスタＱ５２と、一方がトランジスタＱ５２のベースに接続され他方が接地されている抵抗Ｒ２９とを含む。
【０１３９】
当該回路は、さらに、一方が８ボルト電圧を供給するポートＢに接続された抵抗Ｒ３１と、一方が抵抗Ｒ３１の他方に接続され他方が接地された抵抗Ｒ３２と、８ボルト電圧を供給するポートＢに接続され抵抗Ｒ３１の他方がプラス端子に接続されたコンパレータＩＣ５１と、一方が８ボルト電圧を供給するポートＢに接続され他方がコンパレータＩＣ５１の出力に接続された抵抗Ｒ３９と、一方がコンパレータＩＣ５１の出力に接続され他方がトランジスタＱ５２のベースに接続された抵抗Ｒ３０と、一方がコンパレータＩＣ５１のマイナス端子に接続され他方が接地されたキャパシタＣ１４と、一方がコンパレータＩＣ５１のマイナス端子に接続され他方が接地された抵抗Ｒ３３とを含む。
【０１４０】
当該回路は、さらに、一方がポートＣに接続され他方が接地された抵抗Ｒ３５と、一方がポートＣに接続された抵抗Ｒ３６と、一方がコンパレータＩＣ５１のマイナス端子に接続され他方が抵抗Ｒ３６の他方に接続された抵抗Ｒ３４と、一方が抵抗Ｒ３４の他方に接続され他方が接地されたキャパシタＣ１５と一方が抵抗Ｒ３４の他方に接続され他方が接地されたキャパシタＣ１６と、一方が抵抗Ｒ３４の他方に接続された定電圧レギュレータ４２Ｄと、定電圧レギュレータ４２ＤおよびＩＦ増幅器３４Ｃとを結ぶ一方が接続され他方が接地されたキャパシタＣ１７とを含む。
【０１４１】
当該回路は、さらに、エミッタが抵抗Ｒ３４の他方に接続されたトランジスタＱ５１と、一方がトランジスタＱ５１のエミッタに接続され他方がトランジスタＱ５１のベースに接続された抵抗Ｒ３７と、一方がトランジスタＱ５１のベースに接続され他方が接地された抵抗Ｒ３８と、トランジスタＱ５１のコレクタに接続されたダイオードＤ３と、一方がダイオードＤ３の出力に接続され他方が接地されたキャパシタＣ４と、一方がダイオードＤ３の出力に接続され他方が接地されたキャパシタＣ５と、ダイオードＧ３の出力に接続された定電圧レギュレータ４２Ａと、定電圧レギュレータ４２Ａおよび電源回路４０とを結ぶ経路上に一方が接続され他方が接地されたキャパシタＣ６とを含む。
【０１４２】
図１７に示した回路の動作原理について説明する。
（１）ポートＣから電圧が供給されている場合には、ポートＡおよびポートＢの電圧レベルに関係なく、コンパレータＩＣ５１およびコンパレータＩＣ５３の出力はＬｏｗレベルとなる。このため、２入力ＡＮＤ回路ＩＣ５４の出力もＬｏｗレベルとなる。よって、定電圧レギュレータ４２ＡへはポートＣから常に電圧供給が行なわれる。
【０１４３】
（２）ポートＣがオープンで、かつポートＢから電圧が供給されている場合には、ポートＡの電圧レベルに関係なく、コンパレータＩＣ５２の出力はＬｏｗレベルとなる。このため、２入力ＡＮＤ回路ＩＣ５４の出力もＬｏｗレベルとなり、トランジスタＱ５４およびＱ５５は動作しない。一方、コンパレータＩＣ５１の出力はＨｉｇｈレベルとなり、トランジスタＱ５２およびＱ５３が動作する。このため、定電圧レギュレータ４２ＡへはポートＢから常に電圧供給が行なわれる。
【０１４４】
（３）ポートＢおよびポートＣがともにオープンの場合には、コンパレータＩＣ５２およびＩＣ５３の出力がともにＨｉｇｈレベルとなり、２入力ＡＮＤ回路ＩＣ５４の出力がＨｉｇｈレベルとなる。このため、ポートＡから電圧が供給されていれば、トランジスタＱ５４およびＱ５５が動作し、定電圧レギュレータ４２ＡへポートＡから電圧供給が行なわれる。
【０１４５】
（４）ポートＡ〜Ｃのすべてがオープンの場合には、定電圧レギュレータ４２Ａへの電圧供給は行なわれず、ＬＮＢの各回路は動作しない。
【０１４６】
このように、ポートＡ〜Ｃのいずれかの電圧に変化が生じた場合であっても、必ず一定のポートから電圧が供給される。このため、各ポートで消費される電流が変化することがない。よって、ＬＮＢが誤動作をすることにより、出力ポートに接続された受信機に偽の衛星放送信号が送信されるという問題は生じなくなる。このため、安定に、受信機を動作させることができる。
【０１４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態１に係る衛星放送受信システムの構成を説明するための図である。
【図２】  本発明の実施の形態１に係る衛星放送受信システムの構成を説明するための図である。
【図３】  本発明の実施の形態１に係るＬＮＢの構成を示す図である。
【図４】  本発明の実施の形態１に係るセットトップボックスの構成を示す図である。
【図５】  本発明の実施の形態２に係るＬＮＢの構成を示す図である。
【図６】  本発明の実施の形態３に係るＬＮＢの構成を示す図である。
【図７】  本発明の実施の形態４に係るＬＮＢの構成を示す図である。
【図８】  従来の衛星放送受信システムの構成を説明するための図である。
【図９】  従来のＬＮＢの構成を示す図である。
【図１０】  本発明の実施の形態５に係るＬＮＢの構成を示す図である。
【図１１】  本発明の実施の形態６に係るＬＮＢの構成を示す図である。
【図１２】  本発明の実施の形態７に係るＬＮＢの構成を示す図である。
【図１３】  本発明の実施の形態８に係るＬＮＢの構成を示す図である。
【図１４】  図１１のＬＮＢにおけるポートＡおよびＢからＬＮＢの主要回路へ電圧供給を行なうための回路図である。
【図１５】  図１２のＬＮＢにおけるポートＡおよびポートＢからＬＮＢの主要回路へ電圧供給を行なうための回路図である。
【図１６】  本発明の実施の形態１０に係るＬＮＢの構成を示す図である。
【図１７】  図１６のＬＮＢにおけるポートＡ〜ＣからＬＮＢの主要回路へ電圧供給を行なうための回路図である。
【符号の説明】
６  反射板、８，６４  ＬＮＢ、１０，１２，６０  テレビジョン受像機、２２Ａ，２２Ｂ，６２  ＬＮＡ、２６  局部発振器、２８Ａ〜２８Ｄ，６４  ＢＰＦ、３０Ａ〜３０Ｄ  ミキサー、３２Ａ，３２Ｂ  ４×２ＩＦスイッチＩＣ、３４Ａ〜３４Ｃ  ＩＦ増幅器、３５Ａ〜３５Ｄ  キャパシタ、３６Ａ〜３６Ｂ  電圧比較器、３８Ａ〜３８Ｃ  制御マイコン、４０，６８  電源回路、４２Ａ〜４２Ｃ  定電圧レギュレータ、４４Ａ，４４Ｂ  バッファ増幅器、４５  パワースイッチ、５８  ＬＮＢ、６３Ａ〜６３Ｅ  半導体増幅素子、６６  ＩＦ増幅器、７０  チューナー部、７１  入力ポート、７２  デジタルシリアル信号発生部、７４  電源部、７６  デジタル信号処理部、７８  コントロール部、８０  セットトップボックス、８２  入力部。
【図１】
0003653215.tif 000002
【図２】
0003653215.tif 000003
【図３】
0003653215.tif 000004
【図４】
0003653215.tif 000005
【図５】
0003653215.tif 000006
【図６】
0003653215.tif 000007
【図７】
0003653215.tif 000008
【図８】
0003653215.tif 000009
【図９】
0003653215.tif 000010
【図１０】
0003653215.tif 000011
【図１１】
0003653215.tif 000012
【図１２】
0003653215.tif 000013
【図１３】
0003653215.tif 000014
【図１４】
0003653215.tif 000015
【図１５】
0003653215.tif 000016
【図１６】
0003653215.tif 000017
【図１７】
0003653215.tif 000018